【手続補正書】
【提出日】平成17年5月30日(2005.5.30)
【手続補正１】
【補正対象書類名】明細書
【補正対象項目名】請求項１
【補正方法】変更
【補正の内容】
【請求項１】
印刷データによる表現内容を印刷用紙に印刷する印刷機と、前記印刷機に接続され、前記印刷機において印刷された複数の印刷用紙を製本するための製本機と、前記印刷機に前記印刷データを供給するコントローラと、からなる印刷システムであって、
前記コントローラは、
前記印刷機にて印刷を行なう複数の前記印刷データを格納する印刷データ格納手段と、
前記製本機が製本のために前記複数の印刷用紙を取得する際の当該用紙の向き及び取得順序に関する情報を製本機設定情報として取得する製本機設定情報取得手段と、
複数の前記印刷データを対象とする面付に関する情報を面付情報として設定する面付情報設定手段と、
前記製本機設定情報取得手段で取得された製本機設定情報と、前記面付情報設定手段で設定された面付情報とに基づいて、複数の前記印刷データを対象とする面付を行って面付済み印刷データを作成するとともに複数の前記面付済み印刷データの出力順序を決定する印刷データ出力順序決定手段と、
前記印刷データ出力順序決定手段により決定された出力順序で、複数の前記面付済み印刷データを前記印刷機へ出力する印刷データ出力手段と、
を有し、
前記印刷機は、前記コントローラからの受信順序に従って複数の前記面付済み印刷データによる表現内容を印刷用紙に印刷し、該印刷用紙を前記製本機に供給すること、
を特徴とする印刷システム。
【手続補正２】
【補正対象書類名】明細書
【補正対象項目名】請求項４
【補正方法】変更
【補正の内容】
【請求項４】
印刷データによる表現内容を印刷用紙に印刷する印刷機と、前記印刷機に接続され、前記印刷機において印刷された複数の印刷用紙を製本するための製本機と、を備える印刷システムに備わり、前記印刷機に前記印刷データを供給するコントローラであって、
前記印刷機にて印刷を行なう複数の前記印刷データを格納する印刷データ格納手段と、
前記製本機が製本のために前記複数の印刷用紙を取得する際の当該用紙の向き及び取得順序に関する情報を製本機設定情報として取得する製本機設定情報取得手段と、
複数の前記印刷データを対象とする面付に関する情報を面付情報として設定する面付情報設定手段と、
前記製本機設定情報取得手段で取得された製本機設定情報と、前記面付情報設定手段で設定された面付情報とに基づいて、複数の前記印刷データを対象とする面付を行って面付済み印刷データを作成するとともに複数の前記面付済み印刷データの出力順序を決定する印刷データ出力順序決定手段と、
前記印刷データ出力順序決定手段により決定された出力順序で、複数の前記面付済み印刷データを前記印刷機へ出力する印刷データ出力手段と、
を有することを特徴とする印刷システムのコントローラ。
【手続補正３】
【補正対象書類名】明細書
【補正対象項目名】請求項５
【補正方法】変更
【補正の内容】
【請求項５】
印刷データによる表現内容を印刷用紙に印刷する印刷機と、前記印刷機に接続され、前記印刷機において印刷された複数の印刷用紙を製本するための製本機と、前記印刷機に前記印刷データを供給するコントローラと、からなる印刷システムにおける印刷方法であって、
前記コントローラにおいて、
前記印刷機にて印刷を行なう複数の前記印刷データを所定の印刷データ格納手段に格納する印刷データ格納工程と、
前記製本機が製本のために前記複数の印刷用紙を取得する際の当該用紙の向き及び取得順序に関する情報を製本機設定情報として取得する製本機設定情報取得工程と、
複数の前記印刷データを対象とする面付に関する情報を面付情報として設定する面付情報設定工程と、
前記製本機設定情報取得工程で取得された製本機設定情報と、前記面付情報設定工程で設定された面付情報とに基づいて、複数の前記印刷データを対象とする面付を行って面付済み印刷データを作成するとともに複数の前記面付済み印刷データの出力順序を決定する印刷データ出力順序決定工程と、
前記印刷データ出力順序決定工程において決定された出力順序で、複数の前記面付済み印刷データを前記印刷機へ出力する印刷データ出力工程と、
が実行され、
前記印刷機において、
前記コントローラからの受信順序に従って複数の前記面付済み印刷データによる表現内容を印刷用紙に印刷する印刷工程と、
前記印刷工程で印刷が行なわれた印刷用紙を前記製本機に供給する供給工程と、
が実行されることを特徴とする印刷システムの印刷方法。
【手続補正４】
【補正対象書類名】明細書
【補正対象項目名】請求項６
【補正方法】変更
【補正の内容】
【請求項６】
コンピュータで実行されることにより、請求項４に記載の印刷システムのコントローラを前記コンピュータで実現するためのプログラムを記録したコンピュータ読み取り可能な記録媒体。
【手続補正５】
【補正対象書類名】明細書
【補正対象項目名】請求項７
【補正方法】変更
【補正の内容】
【請求項７】
コンピュータで実行されることにより、請求項４に記載の印刷システムのコントローラをコンピュータで実現するためのプログラム。
【手続補正６】
【補正対象書類名】明細書
【補正対象項目名】０００７
【補正方法】変更
【補正の内容】
【０００７】
【課題を解決するための手段】
かかる課題を解決する為に、請求項１に係る発明は、印刷データによる表現内容を印刷用紙に印刷する印刷機と、前記印刷機に接続され、前記印刷機において印刷された複数の印刷用紙を製本するための製本機と、前記印刷機に前記印刷データを供給するコントローラと、からなる印刷システムであって、前記コントローラは、前記印刷機にて印刷を行なう複数の前記印刷データを格納する印刷データ格納手段と、前記製本機が製本のために前記複数の印刷用紙を取得する際の当該用紙の向き及び取得順序に関する情報を製本機設定情報として取得する製本機設定情報取得手段と、複数の前記印刷データを対象とする面付に関する情報を面付情報として設定する面付情報設定手段と、前記製本機設定情報取得手段で取得された製本機設定情報と、前記面付情報設定手段で設定された面付情報とに基づいて、複数の前記印刷データを対象とする面付を行って面付済み印刷データを作成するとともに複数の前記面付済み印刷データの出力順序を決定する印刷データ出力順序決定手段と、前記印刷データ出力順序決定手段により決定された出力順序で、複数の前記面付済み印刷データを前記印刷機へ出力する印刷データ出力手段と、を有し、前記印刷機は、前記コントローラからの受信順序に従って複数の前記面付済み印刷データによる表現内容を印刷用紙に印刷し、該印刷用紙を前記製本機に供給すること、を特徴としている。
【手続補正７】
【補正対象書類名】明細書
【補正対象項目名】００１３
【補正方法】変更
【補正の内容】
【００１３】
加えて請求項４に係る発明では、印刷データによる表現内容を印刷用紙に印刷する印刷機と、前記印刷機に接続され、前記印刷機において印刷された複数の印刷用紙を製本するための製本機と、を備える印刷システムに備わり、前記印刷機に前記印刷データを供給するコントローラであって、前記印刷機にて印刷を行なう複数の前記印刷データを格納する印刷データ格納手段と、前記製本機が製本のために前記複数の印刷用紙を取得する際の当該用紙の向き及び取得順序に関する情報を製本機設定情報として取得する製本機設定情報取得手段と、複数の前記印刷データを対象とする面付に関する情報を面付情報として設定する面付情報設定手段と、前記製本機設定情報取得手段で取得された製本機設定情報と、前記面付情報設定手段で設定された面付情報とに基づいて、複数の前記印刷データを対象とする面付を行って面付済み印刷データを作成するとともに複数の前記面付済み印刷データの出力順序を決定する印刷データ出力順序決定手段と、前記印刷データ出力順序決定手段により決定された出力順序で、複数の前記面付済み印刷データを前記印刷機へ出力する印刷データ出力手段と、を有することを特徴としている。
【手続補正８】
【補正対象書類名】明細書
【補正対象項目名】００１５
【補正方法】変更
【補正の内容】
【００１５】
また、請求項５に係わる発明では、印刷データによる表現内容を印刷用紙に印刷する印刷機と、前記印刷機に接続され、前記印刷機において印刷された複数の印刷用紙を製本するための製本機と、前記印刷機に前記印刷データを供給するコントローラと、からなる印刷システムにおける印刷方法であって、前記コントローラにおいて、前記印刷機にて印刷を行なう複数の前記印刷データを所定の印刷データ格納手段に格納する印刷データ格納工程と、前記製本機が製本のために前記複数の印刷用紙を取得する際の当該用紙の向き及び取得順序に関する情報を製本機設定情報として取得する製本機設定情報取得工程と、複数の前記印刷データを対象とする面付に関する情報を面付情報として設定する面付情報設定工程と、前記製本機設定情報取得工程で取得された製本機設定情報と、前記面付情報設定工程で設定された面付情報とに基づいて、複数の前記印刷データを対象とする面付を行って面付済み印刷データを作成するとともに複数の前記面付済み印刷データの出力順序を決定する印刷データ出力順序決定工程と、前記印刷データ出力順序決定工程において決定された出力順序で、複数の前記面付済み印刷データを前記印刷機へ出力する印刷データ出力工程と、が実行され、前記印刷機において、前記コントローラからの受信順序に従って複数の前記面付済み印刷データによる表現内容を印刷用紙に印刷する印刷工程と、前記印刷工程で印刷が行なわれた印刷用紙を前記製本機に供給する供給工程と、が実行されることを特徴としている。
【手続補正９】
【補正対象書類名】明細書
【補正対象項目名】００１７
【補正方法】変更
【補正の内容】
【００１７】
更に請求項６に係わる発明は、コンピュータで実行されることにより、請求項４に記載の印刷システムのコントローラを前記コンピュータで実現するためのプログラムを記録したコンピュータ読み取り可能な記録媒体である。
【手続補正１０】
【補正対象書類名】明細書
【補正対象項目名】００１９
【補正方法】変更
【補正の内容】
【００１９】
加えて請求項７に係わる発明は、コンピュータで実行されることにより、請求項４に記載の印刷システムのコントローラを前記コンピュータで実現するためのプログラムである。